(57)【要約】      （修正有）【課題】ガスのサンプリングのためのスマートコネクタを提供する。【解決手段】コネクタは、データを記憶するように構成されたメモリを含む。コネクタは、ガスサンプリングモニタ内の接地接続部に接続するように構成された第１の部分をさらに含む。コネクタは、ガスサンプリングモニタ内の能動接続部に接続するように構成された第２の部分をさらに含む。第２の部分は、データをメモリとの間で伝達するように構成される。コネクタは、ガスをモニタに送るように構成されるサンプリングチューブと接続するように構成された端部をさらに含む。【選択図】図２
2016061787.tif 000002
【特許請求の範囲】
【請求項１】
コネクタであって、
データを記憶するように構成されたメモリと、
ガスサンプリング装置内の接地接続部に接続するように構成された第１の部分と、
前記ガスサンプリング装置内の能動接続部に接続するように構成され、前記メモリとの間でデータを伝達するようにさらに構成された第２の部分と、
前記ガスサンプリング装置にガスを送るように構成されたサンプリングチューブと接続されるように構成された端部と、
を備えるコネクタ。
【請求項２】
前記コネクタが改良されたルアーコネクタを含む、請求項１に記載のコネクタ。
【請求項３】
前記第１の部分がフィルタを含む、請求項１に記載のコネクタ。
【請求項４】
前記第１の部分がリングを含む、請求項１に記載のコネクタ。
【請求項５】
前記メモリが固有ＩＤ及びロット番号を記憶する、請求項１に記載のコネクタ。
【請求項６】
前記メモリが推奨使用時間を記憶する、請求項１に記載のコネクタ。
【請求項７】
前記メモリが推奨接続数を記憶する、請求項１に記載のコネクタ。
【請求項８】
前記メモリが最初の接続後の推奨寿命を記憶する、請求項１に記載のコネクタ。
【請求項９】
前記メモリが接続状態での動作時間を記憶する、請求項１に記載のコネクタ。
【請求項１０】
前記メモリが最初の接続日時を記憶する、請求項１に記載のコネクタ。
【請求項１１】
前記メモリが前記コネクタになされる接続数を記憶する、請求項１に記載のコネクタ。
【請求項１２】
方法であって、
コネクタをガスサンプリング装置に挿入することと、前記コネクタは、
データを記憶するように構成されたメモリと、
ガスサンプリング装置内の接地接続部に接続するように構成された第１の部分と、
前記ガスサンプリング装置内の能動接続部に接続するように構成され、前記メモリとの間でデータを伝達するようにさらに構成された第２の部分と、
前記ガスサンプリング装置にガスを送るように構成されたサンプリングチューブと接続されるように構成された端部と、
を備え、
前記コネクタを前記ガスサンプリング装置と係合し、前記スマートコネクタの前記第１の部分及び前記第２の部分を前記ガスサンプリング装置と接続することによって電気ブリッジを閉じることと、
を含む方法。
【請求項１３】
前記コネクタが改良されたルアーコネクタを含む、請求項１２に記載の方法。
【請求項１４】
前記第１の部分がフィルタを含む、請求項１２に記載の方法。
【請求項１５】
前記第１の部分がリングを含む、請求項１２に記載の方法。
【請求項１６】
前記メモリが固有ＩＤ及びロット番号を記憶する、請求項１２に記載の方法。
【請求項１７】
前記メモリが推奨使用時間を記憶する、請求項１２に記載の方法。
【請求項１８】
前記メモリが推奨接続数を記憶する、請求項１２に記載の方法。
【請求項１９】
前記メモリが最初の接続後の推奨寿命を記憶する、請求項１２に記載の方法。
【請求項２０】
前記メモリが接続状態での動作時間を記憶する、請求項１２に記載の方法。
【発明の詳細な説明】
【技術分野】
【０００１】
本開示は一般に、ガスサンプリングチューブに関し、より具体的には、ガスのサンプリングのためのスマートコネクタに関する。
【背景技術】
【０００２】
フィルタライン、ガスライン、サンプリングチューブ、及び他の類似の名前でも呼ばれる現在のガスサンプリングラインは、患者からのガスを測定する呼気終末二酸化炭素（ＥｔＣＯ２）モニタなどの装置との間でガスを伝達する。例えば、多くのガス測定装置は、外部口腔カニューレ、外部鼻腔カニューレ、外部口腔／鼻腔カニューレ、又は気管内チューブからの外部接続を用いて患者に接続される。これらのガスサンプリングラインは、インテリジェントではなく、患者の鼻及び口との間でガスを伝達すること以外に何もしない。
【発明の概要】
【課題を解決するための手段】
【０００３】
本開示によれば、以前のガスサンプリングチューブに関連した欠点及び問題が低減される又はなくされる場合がある。
【０００４】
特定の実施形態では、コネクタは、データを記憶するように構成されたメモリを含む。コネクタは、ガスサンプリングモニタ内の接地接続部に接続するように構成された第１の部分をさらに含む。コネクタは、ガスサンプリングモニタ内の能動接続部に接続するように構成された第２の部分をさらに含む。第２の部分は、データをメモリとの間で伝達するように構成される。コネクタは、ガスをモニタに送るように構成されるサンプリングチューブに接続するように構成された端部をさらに含む。
【０００５】
本開示の特定の実施形態は１つ以上の技術的利点を提供する場合がある。従来のガスサンプリングシステムでは、サンプリングラインコネクタはインテリジェントでない装置である。サンプリングライン同士を見分けることはできず、どれくらい長くサンプリングラインが使用されているかを追跡することはできず、これは患者の汚染につながる場合がある。本開示の特定の実施形態では、改善されたスマートコネクタ装置は、認識、認証、及び追跡されるように設計される。特定の実施形態では、新規の設計は、スマートコネクタ内に組み込まれるメモリを含む。特定の実施形態では、この設計は、接続が存在することを保証し、単純な従来のサンプリングラインを上回る技術的利点を含む。これらの実施形態では、臨床医は、固有ＩＤ及びロット番号、推奨使用時間、フィルタラインへの推奨接続数、最初の接続後の推奨寿命、最初の接続日時、接続状態での動作時間、コネクタになされる接続数などのサンプリングラインのいくつかの特徴を監視してもよい。
【０００６】
本開示の特定の実施形態は、上記の利点のうちのいくつか、又はすべてを含む場合があり、又は含まない場合がある。１つ以上の他の技術的利点が、本明細書に含まれる図面、説明、及び請求項から当業者にはすぐに分かるであろう。さらに、具体的な利点が上記で列挙されているが、種々の実施形態は、列挙された利点のすべて、又はいくつかを含む場合があり、又は含まない場合がある。
【０００７】
本開示並びにその特徴及び利点のより十分な理解のために、添付図と併せてとられる以下の説明への参照をここで行う。
【図面の簡単な説明】
【０００８】
【図１】本開示の特定の実施形態に係るスマートコネクタを含む例示的なガスサンプリングシステムを示す図である。
【図２】本開示の特定の実施形態に係る図１の例示的なスマートコネクタの詳細を示す図である。
【図３Ａ】本開示の特定の実施形態に係るスマートコネクタの１つの例示的な斜視図である。
【図３Ｂ】本開示の特定の実施形態に係る図３Ｂのスマートコネクタの詳細を示す図である。
【図４】本開示の特定の実施形態に係る別の例示的なスマートコネクタの詳細を示す図である。
【図５】本開示の特定の実施形態に係るガスサンプリング装置を実装するための例示的な方法を示す図である。
【図６】本開示の特定の実施形態に係る接触面を有する別の例示的なスマートコネクタの詳細を示す図である。
【図７】本開示の特定の実施形態に係るリーダに接触部を有する別の例示的なスマートコネクタの詳細を示す図である。
【発明を実施するための形態】
【０００９】
カプノグラフは、チューブを通して患者によって吐き出される空気を測定する。このチューブは、本開示で用いられる際にガスサンプリングライン又はガスサンプリング装置と呼ばれる場合もある。ガスサンプリング装置の一方の端は、マスク、カニューレ、気管内チューブ、若しくはレスピレータ及び／又はベンチレータへの外部接続などの外部機構を通じて患者に接続される。ガスサンプリング装置の他方の端は、この特定の例ではカプノグラフであるガスサンプリングモニタにコネクタで接続される。ガスサンプリングチューブ＋ガスサンプリングモニタの一式は、ガスサンプリングシステムと呼ばれる場合がある。
【００１０】
現在のガスサンプリングシステムは、サンプリングラインコネクタがインテリジェントでない装置であるために制限される。これらの装置は、臨床医がパルスオキシメトリセンサなどの他のセンサに期待する場合がある技術的精巧さを欠いている。これは、ガスサンプリングラインコネクタがコネクタに電力を駆動するべく接続をなす術を有さないためである。したがって、従来のガスサンプリングシステムは、臨床医がガスサンプリングラインを患者と手動で関連付けることを必要とする。さらに、臨床医がガスサンプリングライン同士を見分けることはできず、どれくらい長くサンプリングラインが使用されているかを追跡することはできず、これは患者の汚染につながる場合がある。
【００１１】
本開示の特定の実施形態では、改善されたスマートコネクタ装置が、ガスサンプリングライン内に組み込まれ、認識、認証、及び追跡されるように設計される。特定の実施形態では、新規の設計は、スマートコネクタ内に組み込まれるメモリを含む。特定の実施形態では、設計は、接続が存在することを保証し、単純な従来のサンプリングラインを上回る技術的利点を含む。これらの実施形態では、臨床医は、固有ＩＤ及びロット番号、推奨使用時間、フィルタラインへの推奨接続数、最初の接続後の推奨寿命、最初の接続日時、接続状態での動作時間、コネクタになされる接続数などのサンプリングラインのいくつかの特徴を監視してもよい。
【００１２】
本開示の特定の実施形態によれば、ガスサンプリングモニタはスマートコネクタに接続される。ガスサンプリングモニタは、スマートコネクタを含むサンプリングラインから送られたガスを受け入れるように構成され、かつ、スマートコネクタからデータを読み出す及び書き込むように構成されてもよい。ガスサンプリングモニタは、送られたガスの１つ以上の特徴がどこにあるかを判断するために及び送られたガスの特徴を示す表示用のデータを生成するために送られたガスを分析してもよい。この例では、特徴は、少なくともＥｔＣＯ２測定を含む場合がある。したがって、ガスサンプリングシステムは、臨床医が患者のＥｔＣＯ２を監視することと、ガスサンプリングラインが認識、認証、及び追跡されることを保証することとの両方を可能にする。本開示の例示的な実施形態のさらなる詳細が図１〜図４を参照して以下で説明される。
【００１３】
図１は、例示的なガスサンプリングシステム１２を示す。図示される実施形態では、ガスサンプリングシステム１２は、ガスサンプリング装置１４、スマートコネクタ１６、及びカニューレ１８に接続されるチューブを含む。スマートコネクタ１６及びチューブ及びカニューレ１８のそれぞれは、ガスサンプリングライン、ガスサンプリングチューブの一部と呼ばれる場合がある。しかしながら、特定の他の実施形態では、これらの部分のそれぞれは、配列されてもよく、異なる構成であってもよい。したがって、本開示は、ガスサンプリングシステム１２のこれらの部分の任意の適切な配列を考慮している。
【００１４】
ガスサンプリング装置１４は、ガスを分析するように動作可能な任意の適切な装置を指す場合がある。特定の実施形態では、ガスサンプリング装置１４は、カプノグラフを含む場合がある。特定の他の実施形態では、ガスサンプリング装置１４は、酸素飽和などの他の患者パラメータと共にガスを監視するマルチパラメータ監視装置を含む場合がある。ガスサンプリング装置からサンプリングされたガスの、ガスサンプリング装置１４へ送ることは、臨床医がＥｔＣＯ２などのサンプリングされたガスの特定の特徴を監視することを可能にする。
【００１５】
チューブ及びカニューレ１８は、ガスを送るための及び患者からガスを送受するべくインターフェースとして患者に接続するための任意の適切なチューブ及び／又はカニューレを指す場合がある。チューブ及びカニューレ１８は、スマートコネクタ１６の端部に接続されるように構成される場合がある。例えば、チューブ及びカニューレ１８は、スマートコネクタ１６の端部に取り付けられる、接続される、又は挿入されるプラスチックチューブを指す場合があり、チューブ及びカニューレ１８は、患者からガスサンプリングモニタにガスを送る内壁を含む場合がある。チューブ及びカニューレ１８は、特定の実施形態では可撓性チューブである場合がある。特定の他の実施形態では、チューブ及びカニューレ１８は、剛性のチューブである又は剛性のチューブである場合がある。特定の実施形態では、チューブ及びカニューレ１８は、フィルタを含む場合がある。フィルタは、水分、流体、汚染物質、又は任意の他の類似の物質をフィルタする任意の装置を含む場合がある。例えば、フィルタは、親水性ウイックを含む場合がある。特定の他の実施形態では、フィルタは、長期フィルタとも呼ばれる多目的フィルタを含む場合がある。特定の実施形態では、フィルタは、スマートコネクタ１６の１つ以上の部分内に組み込まれる場合がある。
【００１６】
スマートコネクタ１６は、ガスサンプリング装置１４をサンプリングラインに接続するための任意の適切なコネクタを指す場合がある。例えば、スマートコネクタ１６は、業界標準を満たすように構成されたルアーコネクタ又は改良されたルアーコネクタを指す場合がある。特定の実施形態に係るスマートコネクタ１６のさらなる詳細が、図２〜図４を参照しながら以下でより詳細に説明される。
【００１７】
図２は、本開示の特定の実施形態に係る図１の例示的なスマートコネクタ１６の詳細を示す。スマートコネクタ１６は、図１のスマートコネクタ１６と実質的に類似している場合がある。
【００１８】
スマートコネクタ１６は、少なくとも１つのメモリ２２及び少なくとも１つの電力／論理通信インターフェース（Ｉ／Ｆ）２４を含む。特定の他の実施形態では、スマートコネクタは、プロセッサ、出力装置、及び入力装置を含む場合があり、これらはさらに詳細に後述される。スマートコネクタ１６のこの特定の実装が図示され、主として説明されるが、本開示は、特定の必要性に係るスマートコネクタの任意の適切な実装を考慮している。
【００１９】
メモリ２２は、データ及び命令を記憶するために動作可能な任意の適切な装置を含む場合がある。メモリ２２は、例えば、磁気ディスク、フラッシュメモリ、光ディスク、又は他の適切なデータ記憶装置を含む場合がある。メモリ２２は、任意のコンピュータメモリ（例えば、ランダムアクセスメモリ（ＲＡＭ）又は読出し専用メモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、データベース、及び／又はネットワークストレージ（例えば、サーバ）を含む場合がある。メモリ２２は、任意の他のコンピュータ可読有形媒体又は上記のいずれかの組み合わせを含む場合がある。
【００２０】
Ｉ／Ｆ２４は、スマートコネクタ１６の入力を受信し、スマートコネクタ１６から出力を送信し、入力又は出力又はその両方の適切な処理を行い、他の装置に通信し、又は上記の任意の組み合わせを行うように動作可能な任意の適切な装置を含む場合がある。Ｉ／Ｆ２４は、スマートコネクタ１６がメモリ２２から他の装置にデータを通信することを可能にするシリアルネットワーク、ＬＡＮ、ＷＡＮ、又は他の通信システムを通じて通信するべく適切なハードウェア（例えば、モデム、ネットワークインターフェースカードなど）、並びにプロトコル変換及びデータ処理能力を含むソフトウェアを含む場合がある。Ｉ／Ｆ２４は、１つ以上のポート、変換ソフトウェア、又は上記のいずれかの組み合わせを含む場合がある。
【００２１】
スマートコネクタ１６は、プロセッサ、入力装置、及び出力装置を含む場合がある。プロセッサは、スマートコネクタ１６の動作を行うために命令を実行する及びデータを操作するように動作可能な任意の適切な装置を含む場合がある。プロセッサは、例えば、任意のタイプの中央処理装置（ＣＰＵ）を含む場合がある。出力装置は、ユーザに情報を表示するために動作可能な任意の適切な装置を含む場合がある。出力装置は、例えば、ビデオディスプレイ、プリンタ、プロッタ、又は他の適切な出力装置を含む場合がある。特定の実施形態では、出力装置は、データを、他のシステムに伝送するのに適切な任意のフォーマットに再フォーマットしてもよい。入力装置は、種々のデータ及び情報を入力、選択、及び／又は操作するように動作可能な任意の適切な装置を含む場合がある。入力装置は、例えば、キーボード、マウス、グラフィックスタブレット、ジョイスティック、ライトペン、マイクロフォン、スキャナ、又は他の適切な入力装置を含む場合がある。本開示の範囲から逸脱することなくスマートコネクタ１６に修正、追加、又は省略がなされてもよい。スマートコネクタ１６のコンポーネントは、一体化されても又は分離されてもよい。さらに、スマートコネクタ１６の動作は、より多くの、より少ない、又は他のコンポーネントによって行われてもよい。加えて、スマートコネクタ１６の動作は、任意の適切な論理を用いて行われてもよい。この文書で用いられる場合の「それぞれ」は、組の各部材又は組のサブセットの各部材を指す。例示的なスマートコネクタ１６及びモバイル患者モニタインターフェース２１４の動作のさらなる詳細が図３を参照して以下で提供される。
【００２２】
動作の１つの例示的な実施形態では、スマートコネクタ１６は、ガスサンプリング装置１４内にレセプタクルを有する、ＣＯ２モジュールと呼ばれる場合もある、ＣＯ２ユニットに挿入される。例示的な実施形態では、スマートコネクタ１６の接続部は、ガスサンプリング装置１４と係合され、電気回路は、データ／電力通信層２６及び接地接続層２８をガスサンプリング装置１４と接続することによって閉じられ、これはスマートコネクタ１６上のメモリ２２との通信を可能にする。例示的な実施形態では、データは、スマートコネクタ１６のＩ／Ｆ２４によって実装されるデータ／電力通信層２６に伝達されてもよい。このデータは、より詳細に後述するようにスマートコネクタ１６の識別情報を含む場合がある。ＣＯ２ユニットが受信する情報が認証されたコネクタを示す場合、図２の参照番号３０によって示されるように、サンプリングが始まり、ガスサンプリング装置１４が動作並びにガスの受入又は送ることを始めてもよい。
【００２３】
動作の別の例示的な実施形態では、メモリ２２は、動作データを保存するように構成されてもよい。こうしたデータは、動作時間、接続数、及び他の類似のデータを含む場合がある。これらの実施形態では、スマートコネクタ１６がガスサンプリング装置１４から接続解除される場合、電気回路が開かれることがあり、したがって、スマートコネクタ１６とガスサンプリング１４との間の通信はもはや利用可能ではないことがあり、データはスマートコネクタ１６上に記憶されない又はスマートコネクタ１６から読み出されないことがある。メモリ２２上に記憶され得るデータの他の例は、成人、小児、新生児などのコンシューマブルクラス；挿管、非挿管などのコンシューマブルタイプ；クラス及び／又はタイプに係るデフォルトモニタ設定；Ｃｏｖｉｄｉｅｎ、ＯＥＭなどの製造業者；タイプに係るコンシューマブルのライフサイクルタイム；ロット、バッチ、改訂番号、製造日；可能な挿入数；総挿入数；コンシューマブルの材料；コンシューマブルの総使用時間；コンシューマブルの閉塞時間；患者情報；名前、年齢、タイプ（小児、成人、新生児）；モニタ設定及びタイプ；ケアの分野間で患者を追跡することができる使用記録；治療中の医療スタッフのコメント又は所見；治療の指示；極限の患者の状態の測定データ及び情報；測定中の不調又は異常；装置又はコンシューマブルに関係した既知の疾患又は病気；挿管又は挿管なし；コンシューマブルの使用中に変化がある場合の時刻及び日；使用されていたケアの分野；又はデータを読み出す／ホストコンピュータ／ソフトウェアに渡すための他のインターフェースを含む。
【００２４】
したがって、本開示の特定の実施形態は、臨床医によって認識、認証、及び追跡されるように設計されるスマートコネクタ１６及び／又はガスサンプリング装置１４を説明する。特定の実施形態では、新規な設計は、スマートコネクタ内に組み込まれるメモリ２２を含む。特定の実施形態では、この設計は、接続が存在することを保証し、単純な従来のサンプリングラインを上回る技術的利点を含む。これらの実施形態では、メモリ２２は、固有ＩＤ及びロット番号、推奨使用時間、フィルタラインへの推奨接続数、最初の接続後の推奨寿命、最初の接続日時、接続状態での動作時間、コネクタになされる接続数などのサンプリングラインのいくつかの特徴を記憶してもよく、臨床医はこれらを監視してもよい。
【００２５】
図３Ａは、本開示の特定の実施形態に係るスマートコネクタ３０の１つの例示的な斜視図を示す。スマートコネクタ３０は、図１及び図２のスマートコネクタ１６と実質的に類似している場合がある。上述のように、本開示の全体を通して、ＣＯ２測定の最良の精度を維持するために、新しいガスサンプリングラインは、認識、識別、認証、及び追跡されるように設計される。スマートコネクタ３０は、第１の部分及び第２の部分を使用する指向性電気接続を用いる基本識別プロセスの強化を含む。図示される実施形態では、第１の部分は第１のリング３２を含み、第２の部分は第２のリング３６を含む。この例示的な実施形態では第１の部分及び第２の部分であるリング３２及び３６は、メモリ３４を用いてスマートコネクタ３０の技術的特徴を認証及び実装する。
【００２６】
図３Ｂを参照して説明される動作の１つの例示的な実施形態では、スマートコネクタ１６がレセプタクル３７に挿入されるときに、リング３２に組み込まれる能動層をレセプタクル３７の能動層３３と接続し、かつリング３６に組み込まれる接地層を接地層３５と接続することによって電気ブリッジが閉じられ、したがってモジュールとコネクタとの間の接続が可能となる。特定の他の実施形態では、電気ブリッジを閉じることは、スマートコネクタをガスサンプリング装置と係合することと言ってもよく、これは、スマートコネクタ１６上のメモリ２２を識別、認証、トラッキングする、及びこれと通信することを可能にする。特定の実施形態では、能動層は、スマートコネクタ３０との間でデータを通信するためにデータ／電力通信層を含む場合がある。接続プロセスは識別プロセスと呼ばれる場合もある。この識別は、特定のコネクタが存在し、スマートコネクタ１６との間のデータ転送を容易にすることを保証する場合がある。したがって、２つの接触リング３２及び３６を有するスマートコネクタ３０は、能動電気リードと接地電気リードが配向に関係なく同じ様態で接続されるように指向性のデータ及び電気接続を実装する。円筒形リング３２及び３６として図示されるが、スマートコネクタ３０の第１の部分及び第２の部分は、１つ以上の金属コーンなどの任意の適切な形状又は他の類似の機構を用いて実装されてもよい。
【００２７】
図４は、本開示の特定の実施形態に係る別の例示的なスマートコネクタの詳細を示す。図４のスマートコネクタは、図３Ａのメモリ３４及び図２のメモリ２２と類似している場合があるメモリ４４を含む。図３Ａとは対照的に、図４のスマートコネクタは、図３Ａの２つの接触リング、順に３２及び３６とは対照的に、並列接触リング４４及び４８の形態の第１の部分及び第２の部分を含む。図４を参照して説明される動作の１つの例示的な実施形態では、スマートコネクタがレセプタクルに挿入されるときに、リング４４に組み込まれる能動層を能動層５２に接続し、かつリング４８に組み込まれる接地層を接地層５０に接続することによって電気ブリッジが閉じられ、したがってＣＯ２モジュールとスマートコネクタとの間の接続が可能となる。特定の実施形態では、能動層は、図４のスマートコネクタとの間でデータを通信するためにデータ／電力通信層を含む場合がある。
【００２８】
図５は、本開示の特定の実施形態に係るガスサンプリング装置を実装するための例示的な方法１００を示す。方法１００は、スマートコネクタがレセプタクルに挿入されるステップ１０２で始まる。例えば、スマートコネクタは、図１及び図２を参照して上述したようにカプノグラフなどのガスサンプリング装置のレセプタクル、ＣＯ２ユニット、又はモジュールに挿入されてもよい。
【００２９】
ステップ１０４で、スマートコネクタがレセプタクルに挿入される際に、スマートコネクタがガスサンプリング装置と係合し、スマートコネクタの第１の部分及びスマートコネクタの第２の部分をレセプタクル内の特徴と接続することによって電気ブリッジが閉じられる。例えば、リングの形態の第１の部分に組み込まれる能動層は、レセプタクル内の能動層と接続されてもよく、第２のリングの形態の第２の部分に組み込まれる接地層は、レセプタクル内の接地層と接続されてもよく、したがって、ＣＯ２ユニットとスマートコネクタとの間の接続が可能となる。このプロセスは、スマートコネクタのメモリの識別、認証、トラッキング、及びこれとの通信を可能にする。例えば、特定の実施形態では、能動層は、スマートコネクタとの間でデータを通信するためにデータ／電力通信層を含む場合がある。したがって、スマートコネクタは、データ及び電気接続を実装し、ガスサンプリング装置が動作を開始するのをトリガする。
【００３０】
次に、ステップ１０６で、ガスサンプリング装置が前述の係合に基づいて作動され、ガスが、ガスサンプリング装置、次にガスサンプリングモニタに送られる。特定の実施形態では、ガスサンプリング装置は、カプノグラフを含む場合がある。特定の他の実施形態では、ガスサンプリング装置は、酸素飽和などの他の患者パラメータと共にガスを監視するマルチパラメータ監視装置を含む場合がある。ガスサンプリング装置からのサンプリングされたガスを送ることは、臨床医がＥｔＣＯ２などのサンプリングされたガスの特定の特徴を監視することを可能にする。
【００３１】
図６は、本開示の特定の実施形態に係る別の例示的なスマートコネクタの詳細を示す。図６のスマートコネクタは、図３Ａのメモリ３４及び図２のメモリ２２と類似している場合があるメモリ６８を含む。他の実施形態とは対照的に、図６のスマートコネクタは、図３Ａの順に接触リング３２及び３６などの１つ以上の接触リングとは対照的に、能動及び接地ピン６２に接続する接触面６４を含む。図６を参照して説明される動作の１つの例示的な実施形態では、スマートコネクタがレセプタクルに挿入されるときに、６４に組み込まれる能動層をピン６２の能動層と接続することによって電気ブリッジが閉じられる。代替的な実施形態では、第１の接触は、図３Ａの順に接触リング３２及び３６などの内部リングになされてもよく、面６４上の第２の接触は、ピン６２に組み込まれる第３のばね型ピンを用いてなされてもよい。別の代替的な実施形態では、スマートコネクタは１つ以上のピンを含んでもよく、スマートコネクタ又はスマートコネクタリーダはスプリットリングを実装してもよく、スプリットリングは、例えば、電気スイッチを用いて２つの接触を可能にする３つの固有の区域を含み、区域間に電気絶縁を有してもよい。特定の実施形態では、能動層は、図６のスマートコネクタとの間でデータを通信するためにデータ／電力通信層を含む場合がある。
【００３２】
図７は、本開示の特定の実施形態に係る別の例示的なスマートコネクタの詳細を示す。図７のスマートコネクタは、図３Ａのメモリ３４及び図２のメモリ２２と類似している場合があるメモリ７４を含む。他の実施形態とは対照的に、図７のスマートコネクタは、１つは参照番号７２によって示されるようにスマートコネクタ上に配置され、もう１つは参照番号７６によって示されるようにリーダ（レセプタクルとも呼ばれる）上に配置される、２つの金属コーンを用いて接触を達成する。図７を参照して説明される動作の１つの例示的な実施形態では、スマートコネクタがレセプタクルに挿入されるときに、７２に組み込まれる能動層と７６に組み込まれる接地層を接続することによって電気ブリッジが閉じられる。特定の実施形態では、能動層は、図７のスマートコネクタとの間でデータを通信するためにデータ／電力通信層を含む場合がある。
【００３３】
本開示は特定の実施形態に関して説明されているが、実施形態の変更及び置き換えが当業者には明白であろう。したがって、実施形態の上記の説明は本開示を制約しない。以下の請求項によって定義される場合の本開示の精神及び範囲から逸脱することなく他の変化、置換え、及び変形が可能である。
【図１】
2016061787.tif 000003
【図２】
2016061787.tif 000004
【図３Ａ】
2016061787.tif 000005
【図３Ｂ】
2016061787.tif 000006
【図４】
2016061787.tif 000007
【図５】
2016061787.tif 000008
【図６】
2016061787.tif 000009
【図７】
2016061787.tif 000010
【外国語明細書】
2016061787000001.pdf